(57)【要約】【課題】貯留された液体の量を外部から正確に把握できるタンクを提供する。【解決手段】インクタンク１００は、インクを貯留するインク室１１１の前端を構成し、インク室１１１内のインクが外部から視認可能な立壁１０２と、立壁１０２の上端と繋がっておりインク室１１１へのインクの供給口１１２が形成された傾斜壁１０６と、立壁１９２に形成され、インク室１１１内のインクの量を示すための第１ライン１４６及び第２ライン１４７と、立壁１０２及び傾斜壁１０６の内面から突出しており、当該内面に沿って上下方向７へ延びた隔壁９０とを備える。第１ライン１４６及び第２ライン１４７は、左右方向９において供給口１１２と異なる位置にあるオフセット部１４６Ｂ、１４７Ｂを備える。隔壁９０の一部は、供給口１１２より下方であって左右方向９における供給口１１２とオフセット部１４６Ｂ、１４７Ｂとの間に位置する。【選択図】図８
2018171766.tif 000002
【特許請求の範囲】
【請求項１】
液体消費装置に据え置かれるタンクであって、
上記液体消費装置において消費される液体を貯留する貯留室における水平方向に沿った第１方向の第１端を構成し、当該貯留室に貯留された液体が外部から視認可能な第１壁と、
上記貯留室の上記第１端と上記第１方向において対向する上記貯留室の第２端を構成する第２壁と、
上記第１壁の上端と繋がっており上記貯留室に液体が注入される注入口が形成された第３壁と、
上記第１壁または上記第３壁の少なくとも一方の内面から突出しており、当該内面に沿って上下方向の成分を有する方向へ延びた内壁と、を備え、
上記第１壁の内面及び上記第２壁の内面は、上記第１方向及び上記上下方向に直交する第２方向において上記注入口と異なる位置のオフセット領域を備え、
上記内壁の少なくとも一部は、上記注入口より下方であって上記第２方向における上記注入口と上記オフセット領域との間に位置するタンク。
【請求項２】
上記第１壁の外面に形成されており、上記貯留室に貯留された液体の量を示すための目盛を更に備え、
上記目盛は、上記第１壁の外面における上記オフセット領域に対応する領域に形成されたオフセット部を備え、
上記内壁の少なくとも一部は、上記上下方向における上記注入口より下方であって上記第２方向における上記注入口と上記オフセット部との間に位置する請求項１に記載のタンク。
【請求項３】
上記内壁は、上記オフセット部の上端より上方から上記オフセット部の上端より下方に亘って延びている請求項２に記載のタンク。
【請求項４】
上記内壁は、上記オフセット部の下端より下方まで延びている請求項３に記載のタンク。
【請求項５】
上記第１壁または上記第３壁の少なくとも一方の内面から突出しており、少なくとも一部が上記上下方向における上記注入口と上記オフセット部との間であって上記第２方向における上記オフセット部と同じ位置に位置しており、当該内面に沿って上記第２方向の成分を有する方向へ延びた第１サブ内壁を備える請求項２から４のいずれかに記載のタンク。
【請求項６】
上記第１サブ内壁は、上記第２方向における上記オフセット部と異なる位置まで延びている請求項５に記載のタンク。
【請求項７】
上記第１サブ内壁は、上記内壁と繋がっている請求項５または６に記載のタンク。
【請求項８】
上記目盛は、上記貯留室に貯留される液体の上限を示す上限目盛を備える請求項２から７のいずれかに記載のタンク。
【請求項９】
上記目盛は、上記貯留室に貯留される液体の下限を示す下限目盛を備える請求項８に記載のタンク。
【請求項１０】
上記内壁は、上記注入口より上方まで延びている請求項１から９のいずれかに記載のタンク。
【請求項１１】
上記内壁は、上記上下方向に沿って延びている請求項１から１０のいずれかに記載のタンク。
【請求項１２】
請求項１から１１のいずれかに記載のタンクと、
上記タンクへの液体の注入時に上記第１壁を外部から覆うカバーと、を備え、
上記カバーは、上記第１壁のうち、上記第２方向において上記内壁に対して上記注入口とは反対の領域を外部に露出する開口を備える液体消費装置。
【請求項１３】
液体消費装置に据え置かれるタンクであって、
上記液体消費装置において消費される液体を貯留する貯留室における水平方向に沿った第１方向の第１端を構成し、当該貯留室に貯留された液体が外部から視認可能な第１壁と、
上記貯留室の上記第１端と上記第１方向において対向する上記貯留室の第２端を構成する第２壁と、
上記第１壁の上端と繋がっており上記貯留室に液体が注入される注入口が形成された第３壁と、
上記第１壁または上記第３壁の少なくとも一方の内面から突出しており、当該内面に沿って上記第１方向及び上下方向に直交する第２方向に対して傾斜する方向へ延びた内壁と、を備え、
上記第１壁の内面及び上記第２壁の内面は、上記第２方向において上記注入口と同じ位置の非オフセット領域を備え、
上記内壁の少なくとも一部は、上記注入口より下方であって上記第２方向における上記非オフセット領域の一端から上記非オフセット領域の他端に亘って延びているタンク。
【請求項１４】
上記第１壁の外面に形成されており、上記貯留室に貯留され液体の量を示すための目盛を更に備え、
上記目盛は、上記第２方向において上記注入口と同じ位置に形成された非オフセット部を備え、
上記内壁の少なくとも一部は、上記上下方向における上記注入口と上記非オフセット部との間であって上記第２方向における上記非オフセット部の一端から上記非オフセット部の他端に亘って延びている請求項１３に記載タンク。
【請求項１５】
上記内壁は、上記第２方向における上記非オフセット部の外方にまで延びている請求項１４に記載のタンク。
【請求項１６】
上記第１壁または上記第３壁の少なくとも一方の内面から突出しており、少なくとも一部が上記第２方向における上記非オフセット部と異なる位置に形成されており、当該内面に沿って上記上下方向の成分を有する方向へ延びたサブ内壁を備える請求項１４または１５に記載のタンク。
【請求項１７】
上記サブ内壁は、上記非オフセット部の上端より上方から上記非オフセット部の上端より下方に亘って延びている請求項１６に記載のタンク。
【請求項１８】
上記サブ内壁は、上記非オフセット部の下端より下方まで延びている請求項１７に記載のタンク。
【請求項１９】
上記サブ内壁は、上記内壁と繋がっている請求項１６から１８のいずれかに記載のタンク。
【請求項２０】
上記目盛は、上記貯留室に貯留される液体の上限を示す上限目盛を備える請求項１４から１９のいずれかに記載のタンク。
【請求項２１】
上記目盛は、上記貯留室に貯留される液体の下限を示す下限目盛を備える請求項２０に記載のタンク。
【請求項２２】
上記内壁は、上記第２方向における上記注入口の外方にまで延びている請求項１３から２１のいずれかに記載のタンク。
【請求項２３】
上記内壁は、上記注入口より上方まで延びている請求項２２に記載のタンク。
【請求項２４】
請求項１３から２３のいずれかに記載のタンクと、
上記タンクへの液体の注入時に上記第１壁を外部から覆うカバーと、を備え、
上記カバーは、上記第１壁のうち、上記内壁の真下に位置する領域を露出する開口を備える液体消費装置。
【発明の詳細な説明】
【技術分野】
【０００１】
本発明は、注入口を通じて液体を補充可能なタンク、及び当該タンクを備えた液体消費装置に関する。
【背景技術】
【０００２】
インクを補充可能なタンクと、当該タンクから供給されたインクをノズルから吐出して用紙に画像を記録する記録ヘッドとを有するプリンタが知られている（例えば、特許文献１参照）。タンク内のインクが消費されると、使用者はタンクの注入口からボトルに貯留されたインクを補充可能である。
【０００３】
また、通常、このようなプリンタのタンクは、視認壁を備えている。視認壁は、使用者が外部からタンクに貯留されたインクの残量を確認するための壁である。視認壁は、タンクがプリンタに据え置かれた状態においてプリンタの外部に露出している。視認壁は、タンクの外部からタンクの内部を視認可能な程度の透光性を有する材料で形成されている。
【先行技術文献】
【特許文献】
【０００４】
【特許文献１】特開２０１２−５１３０６号公報
【発明の概要】
【発明が解決しようとする課題】
【０００５】
通常、タンクの注入口は、外部からアクセス可能な位置、つまりプリンタの外部に露出された位置に設けられている。つまり、タンクの注入口は、視認壁の近くに設けられている。すると、注入口からインクがタンク内へ補充される際、補充されたインクが視認壁の内面における実際のインクの液面より高い位置に付着するおそれがある。これにより、使用者が、タンクに貯留されたインクの量を正確に把握し難くなってしまうという問題が生じる。特に、撥水性が悪いインクが補充される場合、上記問題が顕著となる。
【０００６】
本発明は、前述された事情に鑑みてなされたものであり、その目的は、液体を補充可能なタンクにおいて、貯留された液体の量を外部から正確に把握することができる手段を提供することにある。
【課題を解決するための手段】
【０００７】
(1)  本発明に係るタンクは、液体消費装置に据え置かれる。本発明に係るタンクは、上記液体消費装置において消費される液体を貯留する貯留室における水平方向に沿った第１方向の第１端を構成し、当該貯留室に貯留された液体が外部から視認可能な第１壁と、上記貯留室の上記第１端と上記第１方向において対向する上記貯留室の第２端を構成する第２壁と、上記第１壁の上端と繋がっており上記貯留室に液体が注入される注入口が形成された第３壁と、上記第１壁または上記第３壁の少なくとも一方の内面から突出しており、当該内面に沿って上下方向の成分を有する方向へ延びた内壁と、を備える。上記第１壁の内面及び上記第２壁の内面は、上記第１方向及び上記上下方向に直交する第２方向において上記注入口と異なる位置のオフセット領域を備える。上記内壁の少なくとも一部は、上記注入口より下方であって上記第２方向における上記注入口と上記オフセット領域との間に位置する。
【０００８】
上記構成によれば、内壁が第２方向における注入口とオフセット領域との間に位置している。そのため、注入口からの液体の注入時に液体が第２方向へ流通または飛散した場合に、当該液体が、第１壁の内面におけるオフセット領域に付着することが、内壁によって低減可能である。これにより、貯留された液体の量を外部から正確に把握することが可能となる。
【０００９】
(2)  本発明に係るタンクは、上記第１壁の外面に形成されており、上記貯留室に貯留された液体の量を示すための目盛を更に備える。上記目盛は、上記第１壁の外面における上記オフセット領域に対応する領域に形成されたオフセット部を備える。上記内壁の少なくとも一部は、上記上下方向における上記注入口より下方であって上記第２方向における上記注入口と上記オフセット部との間に位置する。
【００１０】
上記構成によれば、内壁が第２方向における注入口とオフセット部との間に位置している。そのため、注入口からの液体の注入時に液体が第２方向へ流通または飛散した場合に、当該液体が、第１壁の内面におけるオフセット部に対応する領域及びその周辺に付着することが、内壁によって低減可能である。これにより、貯留された液体の量を外部から正確に把握することが可能となる。
【００１１】
(3)  上記内壁は、上記オフセット部の上端より上方から上記オフセット部の上端より下方に亘って延びている。
【００１２】
上記構成によれば、内壁がオフセット部の上端より上方にしか形成されていない構成よりも、第１壁の内面におけるオフセット部に対応する領域及びその周辺への液体の付着を低減することができる。
【００１３】
(4)  上記内壁は、上記オフセット部の下端より下方まで延びている。
【００１４】
上記構成によれば、内壁がオフセット部の下端より上方にしか形成されていない構成よりも第１壁の内面におけるオフセット部に対応する領域及びその周辺への液体の付着を低減することができる。
【００１５】
(5)  本発明に係るタンクは、上記第１壁または上記第３壁の少なくとも一方の内面から突出しており、少なくとも一部が上記上下方向における上記注入口と上記オフセット部との間であって上記第２方向における上記オフセット部と同じ位置に位置しており、当該内面に沿って上記第２方向の成分を有する方向へ延びた第１サブ内壁を備える。
【００１６】
液体は、注入口から注入される際に、内壁よりも上方を流通または飛散して、第２方向における内壁に対する注入口の反対に位置する可能性がある。この場合、液体は、第１壁の内面におけるオフセット部に対応する領域及びその周辺に上方から付着するおそれがある。上記構成によれば、前記のような液体の付着を第１サブ内壁によって低減することができる。
【００１７】
(6)  上記第１サブ内壁は、上記第２方向における上記オフセット部と異なる位置まで延びている。
【００１８】
上記構成によれば、第１サブ内壁がオフセット部の真上にのみ形成された構成よりも、第１壁の内面におけるオフセット部に対応する領域及びその周辺への液体の付着を低減することができる。
【００１９】
(7)  上記第１サブ内壁は、上記内壁と繋がっている。
【００２０】
上記構成によれば、内壁と第１サブ内壁との隙間を液体が通過することを防止できる。これにより、第１壁の内面におけるオフセット部に対応する領域及びその周辺への液体の付着を低減できる。
【００２１】
(8)  例えば、上記目盛は、上記貯留室に貯留される液体の上限を示す上限目盛を備える。
【００２２】
(9)  例えば、上記目盛は、上記貯留室に貯留される液体の下限を示す下限目盛を備える。
【００２３】
(10)  上記内壁は、上記注入口より上方まで延びている。
【００２４】
上記構成によれば、注入口から注入された液体の第２方向への流通または飛散を内壁によって抑制できる。
【００２５】
(11)  上記内壁は、上記上下方向に沿って延びている。
【００２６】
上記構成によれば、内壁が存在する領域を第２方向に短くできる。その結果、タンクを第２方向に短くすることができる。
【００２７】
(12)  本発明に係る液体消費装置は、上記タンクと、上記タンクへの液体の注入時に上記第１壁を外部から覆うカバーと、を備える。上記カバーは、上記第１壁のうち、上記第２方向において上記内壁に対して上記注入口とは反対の領域を外部に露出する開口を備える。
【００２８】
上記構成によれば、第１壁のうち、注入された液体の付着が内壁などによって低減される領域が、開口によって外部に露出されている。これにより、貯留室に貯留された液体の量を容易に把握可能である。一方、第１壁のうち、注入された液体が付着し易い領域は、カバーによって覆われている。これにより、注入時の飛散などによって付着した液体を外部から隠すことができる。
【００２９】
(13)  本発明に係るタンクは、液体消費装置に据え置かれる。本発明に係るタンクは、上記液体消費装置において消費される液体を貯留する貯留室における水平方向に沿った第１方向の第１端を構成し、当該貯留室に貯留された液体が外部から視認可能な第１壁と、上記貯留室の上記第１端と上記第１方向において対向する上記貯留室の第２端を構成する第２壁と、上記第１壁の上端と繋がっており上記貯留室に液体が注入される注入口が形成された第３壁と、上記第１壁または上記第３壁の少なくとも一方の内面から突出しており、当該内面に沿って上記第１方向及び上下方向に直交する第２方向に対して傾斜する方向へ延びた内壁と、を備える。上記第１壁の内面及び上記第２壁の内面は、上記第２方向において上記注入口と同じ位置の非オフセット領域を備える。上記内壁の少なくとも一部は、上記注入口より下方であって上記第２方向における上記非オフセット領域の一端から上記非オフセット領域の他端に亘って延びている。
【００３０】
上記構成によれば、内壁が注入口の下方に位置している。そのため、注入口からの注入時に液体が下方へ流通または飛散した場合に、当該液体が、第１壁の内面における非オフセット領域に付着することが、内壁によって低減可能である。これにより、貯留された液体の量を外部から正確に把握することが可能となる。
【００３１】
(14)  本発明に係るタンクは、上記第１壁の外面に形成されており、上記貯留室に貯留され液体の量を示すための目盛を更に備える。上記目盛は、上記第２方向において上記注入口と同じ位置に形成された非オフセット部を備える。上記内壁の少なくとも一部は、上記上下方向における上記注入口と上記非オフセット部との間であって上記第２方向における上記非オフセット部の一端から上記非オフセット部の他端に亘って延びている。
【００３２】
上記構成によれば、内壁が上下方向における注入口と非オフセット部との間に位置している。そのため、注入口からの注入時に液体が下方へ流通または飛散した場合に、当該液体が、第１壁の内面における非オフセット部に対応する領域及びその周辺に付着することが、内壁によって低減可能である。これにより、貯留された液体の量を外部から正確に把握することが可能となる。
【００３３】
(15)  本発明に係るタンクは、上記内壁は、上記第２方向における上記非オフセット部の外方にまで延びている。
【００３４】
上記構成によれば、内壁が非オフセット部の真上にしか形成されていない構成よりも、第１壁の内面における非オフセット部に対応する領域及びその周辺への液体の付着を低減することができる。
【００３５】
(16)  本発明に係るタンクは、上記第１壁または上記第３壁の少なくとも一方の内面から突出しており、少なくとも一部が上記第２方向における上記非オフセット部と異なる位置に形成されており、当該内面に沿って上記上下方向の成分を有する方向へ延びたサブ内壁を備える。
【００３６】
液体は、注入口から注入される際に、内壁よりも第２方向の外方へ流通または飛散する可能性がある。この場合、液体は、第１壁の内面における非オフセット部に対応する領域及びその周辺に側方（第２方向）から付着するおそれがある。上記構成によれば、前記のような液体の付着をサブ内壁によって低減することができる。
【００３７】
(17)  上記サブ内壁は、上記非オフセット部の上端より上方から上記非オフセット部の上端より下方に亘って延びている。
【００３８】
上記構成によれば、サブ内壁が非オフセット部の上端より上方にしか形成されていない構成よりも、第１壁の内面における非オフセット部に対応する領域及びその周辺への液体の付着を低減することができる。
【００３９】
(18)  上記サブ内壁は、上記非オフセット部の下端より下方まで延びている。
【００４０】
上記構成によれば、サブ内壁が非オフセット部の下端より上方にしか形成されていない構成よりも、第１壁の内面における非オフセット部に対応する領域及びその周辺への液体の付着を低減することができる。
【００４１】
(19)  上記サブ内壁は、上記内壁と繋がっている。
【００４２】
上記構成によれば、内壁とサブ内壁との隙間を液体が通過することを防止できる。これにより、第１壁の内面における非オフセット部に対応する領域及びその周辺への液体の付着を低減できる。
【００４３】
(20)  例えば、上記目盛は、上記貯留室に貯留される液体の上限を示す上限目盛を備える。
【００４４】
(21)  例えば、上記目盛は、上記貯留室に貯留される液体の下限を示す下限目盛を備える。
【００４５】
(22)  本発明に係るタンクは、上記内壁は、上記第２方向における上記注入口の外方にまで延びている。
【００４６】
上記構成によれば、内壁が第２方向における注入口と同位置にしか形成されていない構成よりも、第１壁の内面における非オフセット領域への液体の付着を低減することができる。
【００４７】
(23)  上記内壁は、上記注入口より上方まで延びている。
【００４８】
上記構成によれば、注入口から注入された液体の第２方向への流通または飛散を内壁によって抑制できる。
【００４９】
(24)  本発明に係る液体消費装置は、上記タンクと、上記タンクへの液体の注入時に上記第１壁を外部から覆うカバーと、を備える。上記カバーは、上記第１壁のうち、上記内壁の真下に位置する領域を露出する開口を備える。
【００５０】
上記構成によれば、第１壁のうち、注入された液体の付着が内壁などによって低減される領域が、開口によって外部に露出されている。これにより、貯留室に貯留された液体の量が容易に認識可能である。一方、第１壁のうち、注入された液体が付着し易い領域は、カバーによって覆われている。これにより、注入時の飛散などによって付着した液体を外部から隠すことができる。
【発明の効果】
【００５１】
本発明によれば、液体を補充可能なタンクにおいて、貯留された液体の量を外部から正確に把握することができる。
【図面の簡単な説明】
【００５２】
【図１】図１は、複合機１０の外観斜視図であって、（Ａ）はカバー７０が閉塞位置である状態、（Ｂ）はカバー７０が開放位置である状態を示す。
【図２】図２は、プリンタ部１１の内部構造を模式的に示す縦断面図である。
【図３】図３は、キャリッジ２３及びプラテン４２の配置を示す平面図である。
【図４】図４は、タンクセット９９の前方分解斜視図である。
【図５】図５は、タンクセット９９の後方分解斜視図である。
【図６】図６は、インクタンク１００の後方斜視図である。
【図７】図７は、インクタンク１００の左側面図である。
【図８】図８は、インクタンク１００の正面図であり、前壁１０１の内面に隔壁９０が形成され、前壁１０１に非オフセット部１４６Ａ、１４７Ａ及びオフセット部１４６Ｂ、１４７Ｂの双方が形成されたものを示す。
【図９】図９は、インクタンク１００の正面図であり、前壁１０１の内面に隔壁９０が形成され、前壁１０１にオフセット部１４６Ｂ、１４７Ｂのみが形成されたものを示す。
【図１０】図１０は、インクタンク１００の正面図であり、前壁１０１の内面に隔壁９０、９１が形成されたものを示す。
【図１１】図１１は、インクタンク１００の正面図であり、前壁１０１の内面に隔壁９３が形成されたものを示す。
【図１２】図１２は、インクタンク１００の正面図であり、前壁１０１の内面に隔壁９３、９４が形成されたものを示す。
【図１３】図１３は、インクタンク１００及び保持部材１２０の一部の正面図である。
【図１４】図１４は、インクタンク１００の正面図であり、第１ライン１４６及び第２ライン１４７が形成されていないものを示す。
【発明を実施するための形態】
【００５３】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、矢印の起点から終点に向かう進みが向きと表現され、矢印の起点と終点とを結ぶ線上の往来が方向と表現される。換言すれば、向きは方向の一成分である。さらに、複合機１０及び複合機１０に据え付けられたインクタンク１００が使用可能に水平面に設置された姿勢（図１の姿勢であって、「使用姿勢」と表記することがある。）を基準として上下方向７が定義され、複合機１０の開口１３が設けられている面を前面として前後方向８（第１方向の一例）が定義され、複合機１０を前面から見て左右方向９（第２方向の一例）が定義される。本実施形態では、使用姿勢において、上下方向７が鉛直方向に相当し、前後方向８及び左右方向９が水平方向に相当する。前後方向８及び左右方向９は、直交している。
【００５４】
［第１実施形態］
以下、本発明の第１実施形態について説明する。図１に示されるように、複合機１０（液体消費装置の一例）は、概ね直方体形状である。複合機１０は、インクジェット記録方式で用紙１２（図２参照）に画像を記録するプリンタ部１１を下部に有している。プリンタ部１１は、前壁１４Ａに開口１３が形成された筐体１４を有している。図２に示されるように、筐体１４の内部には、給送部１５と、給送トレイ２０と、排出トレイ２１と、搬送ローラ部５４と、記録部２４と、排出ローラ部５５と、プラテン４２と、タンクセット９９（図１（Ｂ）参照）とが配置されている。複合機１０は、ファクシミリ機能及びプリント機能などの各種の機能を有している。なお、図１に示される状態が、複合機１０の使用姿勢である。
【００５５】
［給送トレイ２０、排出トレイ２１］
図１に示されるように、給送トレイ２０は、開口１３を通じて前後方向８に沿ってユーザによって複合機１０に対して挿抜される。開口１３は、複合機１０の前面で且つ左右方向９の中央部に位置する。図２に示されるように、給送トレイ２０は、積層された複数の用紙１２を支持可能である。排出トレイ２１は、給送トレイ２０の上方に配置されており、給送トレイ２０の挿抜に拘わらず、給送トレイ２０とは独立して伸縮可能である。排出トレイ２１は、排出ローラ部５５によって記録部２４とプラテン４２との間から排出された用紙１２を支持する。
【００５６】
［給送部１５］
給送部１５は、給送トレイ２０に支持された用紙１２を搬送経路６５へ給送する。図２に示されるように、給送部１５は、給送ローラ２５と、給送アーム２６と、軸２７とを備える。給送ローラ２５は、給送アーム２６の先端に回転可能に支持されている。給送ローラ２５は、搬送モータ（不図示）の逆転によって、用紙１２を搬送向き１６に搬送する向きに回転する。以下、給送ローラ２５、搬送ローラ６０、及び排出ローラ６２が、用紙１２を搬送向き１６に搬送する向きに回転することを、「正回転」と表記する。給送アーム２６は、プリンタ部１１のフレームに支持された軸２７に回動可能に支持されている。給送アーム２６は、自重或いはバネ等による弾性力によって給送トレイ２０に向かって回動付勢されている。
【００５７】
［搬送経路６５］
図２に示されるように、搬送経路６５は、その一部がプリンタ部１１の内部において、所定間隔で対向する外側ガイド部材１８及び内側ガイド部材１９によって形成される空間を指す。搬送経路６５は、給送トレイ２０の後端部から後方に延びる経路である。搬送経路６５は、プリンタ部１１の後部において上方に延びつつ前方にＵターンし、記録部２４とプラテン４２との間の空間を経て排出トレイ２１に至る経路である。図２及び図３に示されるように、搬送ローラ部５４及び排出ローラ部５５の間における搬送経路６５は、左右方向９における複合機１０の概ね中央部に設けられており、且つ前後方向８に延びている。搬送経路６５内における用紙１２の搬送向き１６は、図２において一点鎖線の矢印で示されている。
【００５８】
［搬送ローラ部５４］
図２に示されるように、搬送ローラ部５４は、記録部２４より搬送向き１６の上流に配置されている。搬送ローラ部５４は、互いに対向する搬送ローラ６０及びピンチローラ６１を有する。搬送ローラ６０は、搬送モータによって駆動される。ピンチローラ６１は、搬送ローラ６０の回転に伴って連れ回る。用紙１２は、搬送モータの正転によって正回転する搬送ローラ６０及びピンチローラ６１に挟持されて搬送向き１６に搬送される。
【００５９】
［排出ローラ部５５］
図２に示されるように、排出ローラ部５５は、記録部２４より搬送向き１６の下流に配置されている。排出ローラ部５５は、互いに対向する排出ローラ６２及び拍車６３を有する。排出ローラ６２は、搬送モータによって駆動される。拍車６３は、排出ローラ６２の回転に伴って連れ回る。用紙１２は、搬送モータの正転によって正回転する排出ローラ６２及び拍車６３に挟持されて搬送向き１６に搬送される。
【００６０】
［記録部２４］
図２に示されるように、記録部２４は、搬送向き１６における搬送ローラ部５４及び排出ローラ部５５の間に配置されている。記録部２４は、搬送経路６５を挟んでプラテン４２と上下方向７に対向配置されている。記録部２４は、キャリッジ２３と、記録ヘッド３９とを備えている。
【００６１】
図３に示されるように、キャリッジ２３は、前後方向８に離間する位置において各々が左右方向９に延設されたガイドレール４３、４４に支持されている。ガイドレール４３、４４は、プリンタ部１１のフレームに支持されている。キャリッジ２３は、ガイドレール４４に設けられた公知のベルト機構に連結されている。ベルト機構は、キャリッジモータ（不図示）によって駆動される。ベルト機構に連結されたキャリッジ２３は、キャリッジモータの駆動によって左右方向９に沿って往復移動する。キャリッジ２３の移動範囲は、図３の一点鎖線で示されるように、搬送経路６５より右方及び左方にまで及ぶ。
【００６２】
キャリッジ２３からは、インクチューブ３２とフレキシブルフラットケーブル３３とが延出されている。
【００６３】
インクチューブ３２は、タンクセット９９の各インクタンク１００（タンクの一例）（図１（Ｂ）参照）と記録ヘッド３９とを接続するものである。インクチューブ３２は、タンクセット９９の各インクタンク１００に貯留されたインク（液体の一例）を記録ヘッド３９に供給する。各色（ブラック、マゼンタ、シアン、イエロー）のインクが流通する４本のインクチューブ３２が、各インクタンク１００に対応して設けられており、これらが束ねられた状態でキャリッジ２３と接続されている。
【００６４】
フレキシブルフラットケーブル３３は、制御部（不図示）が実装された制御基板及び記録ヘッド３９を電気的に接続するものである。フレキシブルフラットケーブル３３は、制御部から出力される制御信号を記録ヘッド３９に伝達する。
【００６５】
図２に示されるように、キャリッジ２３は、記録ヘッド３９を搭載している。記録ヘッド３９の下面には、複数のノズル４０が配置されている。複数のノズル４０の先端は、記録ヘッド３９の下面から露出している。記録ヘッド３９は、ノズル４０からインクを微小なインク滴として吐出する。キャリッジ２３が移動する過程において、プラテン４２に支持されている用紙１２に向けて記録ヘッド３９がインク滴を吐出する。これにより、用紙１２に画像が記録される。また、これにより、各インクタンク１００に貯留されたインクが消費される。
【００６６】
［プラテン４２］
図２及び図３に示されるように、プラテン４２は、搬送向き１６における搬送ローラ部５４及び排出ローラ部５５の間に配置されている。プラテン４２は、搬送経路６５を挟んで記録部２４と上下方向７に対向配置されている。プラテン４２は、搬送ローラ部５４によって搬送される用紙１２を下方から支持する。
【００６７】
［カバー７０］
図１に示されるように、筐体１４の前壁１４Ａの右部に、開口２２が形成されている。筐体１４には、カバー７０が、開口２２を覆うようにして取り付けられている。カバー７０は、開口２２を閉塞する閉塞位置（図１（Ａ）に示される位置）と、開口２２を開放する開放位置（図１（Ｂ）に示される位置）との間を回動可能である。筐体１４の内部のうち開口２２の後方に位置する部分には、空間が拡がっている。この空間に、タンクセット９９が据え置かれる。カバー７０には、開口９７が形成されている。カバー７０が閉塞位置にあるとき、開口９７を通じて、インクタンク１００及び保持部材１２０それぞれの一部が外部から視認可能である。
【００６８】
［タンクセット９９］
タンクセット９９は、記録ヘッド３９に供給されるインクを貯留するものである。図４及び図５に示されるように、タンクセット９９は、異なる色のインクをそれぞれ貯留する４つのインクタンク１００と、保持部材１２０（カバーの一例）と、連結部材２００と、を備える。
【００６９】
保持部材１２０及び連結部材２００は、４つのインクタンク１００を、左右方向９に沿って一列に並んだ状態で保持するものである。なお、右端に配置されるインクタンク１００は他のインクタンク１００よりも貯留可能なインクの容量が大きいが、インクタンク１００の大小関係は特に限定されない。
【００７０】
［インクタンク１００］
図４〜図６に示されるように、インクタンク１００は、全体として、左右方向９に沿った寸法が短く、上下方向７及び前後方向８それぞれに沿った寸法が左右方向９に沿った寸法よりも長い扁平の直方体形状である。また、前後方向８の寸法は、上下方向７の寸法よりも長い。なお、図４〜図６において、インクタンク１００の側面が開口しているが、この開口した側面はフィルム（不図示）によって封止されている。
【００７１】
インクタンク１００は、インクが貯留されるインク室１１１（貯留室の一例）内のインクがインクタンク１００の外部から視認可能な程度の透光性を有する樹脂で形成されている。インクタンク１００は、前壁１０１と、右壁１０３と、左壁１０８と、上壁１０４と、下壁１０５と、後壁１１０（第２壁の一例）と、隔壁１０７とを備える。インク室１１１及び後述する大気連通路１７０は、前壁１０１と、右壁１０３と、左壁１０８と、上壁１０４と、下壁１０５と、後壁１１０と、隔壁１０７とによって構成されている。
【００７２】
なお、本実施形態では、４つのインクタンク１００のうち最も右方に位置するインクタンク１００は、右側面の前部に右壁１０３を備えており、右側面の後部及び左側面はフィルムによって封止されている。一方、４つのインクタンク１００のうち残り３つのインクタンク１００は、左側面の前部に左壁１０８を備えており、左側面の後部及び右側面はフィルムによって封止されている。
【００７３】
前壁１０１は、立壁１０２（第１壁の一例）と傾斜壁１０６（第３壁の一例）とで構成されている。立壁１０２は、上下方向７及び左右方向９に拡がっている。傾斜壁１０６は、立壁１０２の上端及び上壁１０４の前端を連結する壁である。傾斜壁１０６は、上下方向７及び前後方向８に対して傾斜している。前壁１０１は、インク室１１１における前端（第１端の一例）を構成している。
【００７４】
各インクタンク１００における立壁１０２の前面１０２Ａ（外面の一例）及び傾斜壁１０６の前面１０６Ａは、カバー７０の開口９７（図１（Ａ）参照）、及び保持部材１２０の開口８１（図１（Ａ）及び図１（Ｂ）参照）を介して、複合機１０の外部に露出している。このような構成であることにより、各インクタンク１００の前面は、複合機１０の前方から視認可能であり、ユーザは各インクタンク１００に貯留されたインクの残量を確認可能である。
【００７５】
後壁１１０は、前後方向８において前壁１０１と対向している。後壁１１０は、インク室１１１における後端（第２端の一例）を構成している。
【００７６】
右壁１０３は、前壁１０１の右端から後方へ延びる壁である。右壁１０３の上端は、上壁１０４の前部と接続されている。右壁１０３の下端は、下壁１０５の前部と接続されている。上壁１０４は、前壁１０１の上端（傾斜壁１０６の後端）から後方へ延びている。上壁１０４の前部は、右壁１０３の上端と接続されている。下壁１０５は、前壁１０１の下端から後方へ延びる壁である。下壁１０５は、上壁１０４から下方に離れて形成されている。隔壁１０７は、前壁１０１、右壁１０３、上壁１０４、下壁１０５、及び後壁１１０に囲まれた空間に、複数配置されている。
【００７７】
突出部１５７は、後壁１１０から後方へ向けて、つまりインクタンク１００の外方へ向けて突出している。突出部１５７は、中空である。突出部１５７の内部空間は、インク室１１１と連通している。突出部１５７には、連結部材２００のインクニードル２２３が挿入される。インクニードル２２３は、直接、或いは間接的にインクチューブ３２と接続されている。これにより、インク室１１１から突出部１５７の内部空間へ進入したインクが、インクニードル２２３を通じてインクチューブ３２へ流出する。
【００７８】
インクタンク１００は、大気連通路１７０を有する。大気連通路１７０は、インク室１１１とインクタンク１００の外部とを連通するための連通路である。
【００７９】
インクタンク１００の傾斜壁１０６には、インク室１１１にインクを注入するための供給口１１２（注入口の一例）が形成されている。供給口１１２は、傾斜壁１０６を厚み方向に貫通して、インク室１１１をインクタンク１００の外部に連通させる。傾斜壁１０６及び供給口１１２は、カバー７０を開放位置に位置させることによって、開口２２（図１（Ｂ）参照）を介して複合機１０の外部に露出する。供給口１１２が傾斜壁１０６に配置されることにより、供給口１１２に対して斜め上方からインクをインクタンク１００内へ補充することが容易である。
【００８０】
図７に示されるように、インクタンク１００のインク室１１１にインクが無くなると、ユーザによって、インクを貯留するボトル２７０（図７において破線で示されている。）からインク室１１１へインクが補充される。ボトル２７０は、概ね円筒形状であって、注入口２７１へ向かって縮径するテーパ部２７２、及びテーパ部２７２から延びるノズル部２７３を有する。
【００８１】
図４に示されるように、前壁１０１の立壁１０２の前面１０２Ａは、第１ライン１４６と第２ライン１４７とを備える。第１ライン１４６及び第２ライン１４７は、インク室１１１に貯留されたインクの量を示すためのものである。第１ライン１４６及び第２ライン１４７は、目盛の一例である。
【００８２】
第１ライン１４６（上限目盛の一例）は、左右方向９に延びている。第１ライン１４６の上下方向７の位置は、複合機１０が使用姿勢において、貯留が許容される最大量のインクがインク室１１１に貯留されたときの、当該インクの液面と同じ高さである。つまり、第１ライン１４６は、インク室１１１に貯留されたインクが最大量であるときの液面に対応する位置に設けられている。換言すると、第１ライン１４６は、インク室１１１に貯留されるインクの上限を示す。
【００８３】
第２ライン１４７（下限目盛の一例）は、左右方向９に延びている。第２ライン１４７は、第１ライン１４６よりも下方に位置している。詳細には、第２ライン１４７の上下方向７の位置は、複合機１０が使用姿勢において、上記最大量よりも少ない量のインクがインク室１１１に貯留されたときの、当該インクの液面と同じ高さである。本実施形態において、第２ライン１４７の上下方向７の位置は、インクタンク１００が使用姿勢において、インクの補充が必要となるインクがインク室１１１に貯留されたときの、当該インクの液面と同じ高さである。つまり、第２ライン１４７は、インク室１１１に貯留されたインクが最小量であるときの液面に対応する位置に設けられている。換言すると、第２ライン１４７は、インク室１１１に貯留されるインクの下限を示す。
【００８４】
図８に示されるように、第１ライン１４６は、左右方向９において供給口１１２と同じ位置にある非オフセット部１４６Ａと、左右方向９において供給口１１２と異なる位置にあるオフセット部１４６Ｂとで構成されている。第２ライン１４７は、左右方向９において供給口１１２と同じ位置にある非オフセット部１４７Ａと、左右方向９において供給口１１２と異なる位置にあるオフセット部１４７Ｂとで構成されている。
【００８５】
なお、図９（Ａ）に示されるように、第１ライン１４６は、オフセット部１４６Ｂのみで構成されていてもよい。また、第２ライン１４７は、オフセット部１４７Ｂのみで構成されていてもよい。また、図９（Ａ）では、オフセット部１４６Ｂ、１４７Ｂは２つずつ形成されているが、オフセット部１４６Ｂ、１４７Ｂの数は２つに限らない。例えば、図９（Ｂ）に示されるように、オフセット部１４６Ｂ、１４７Ｂは１つずつ形成されていてもよい。また、図１１に示されるように、第１ライン１４６は、非オフセット部１４６Ａのみで構成されていてもよい。また、第２ライン１４７は、非オフセット部１４７Ａのみで構成されていてもよい。
【００８６】
また、第１ライン１４６の上下方向７の位置は、上記最大量のインクがインク室１１１に貯留されたときの、当該インクの液面と同じ高さに限らない。また、第２ライン１４７の上下方向７の位置は、上記最少量のインクがインク室１１１に貯留されたときの、当該インクの液面と同じ高さに限らない。また、前壁１０１の立壁１０２の前面１０２Ａには、第１ライン１４６または第２ライン１４７の一方のみが形成されていてもよいし、第１ライン１４６及び第２ライン１４７とは異なる位置に別のラインが形成されていてもよい。
【００８７】
また、インク室１１１に貯留されたインクの量を示すための目盛は、インク室１１１に貯留されたインクの量を示すことができるものであればよく、図４に示される第１ライン１４６及び第２ライン１４７のようなライン形状に限らない。
【００８８】
図４に示されるように、前壁１０１の傾斜壁１０６は、前面１０６Ａから突出したリブ１４８を備える。なお、図４以外の傾斜壁１０６が描かれている図面において、リブ１４８の図示は省略されている。
【００８９】
リブ１４８は、供給口１１２よりも下方に形成されている。リブ１４８は、前面１０６Ａの右端近傍から左端近傍に亘って概ね左右方向９へ延びている。詳細には、リブ１４８は、左右方向９の中央よりも右方へ向かうにしたがって下方へ向かうように傾斜しており、且つ左右方向９の中央よりも左方へ向かうにしたがって下方へ向かうように傾斜している。
【００９０】
リブ１４８が前壁１０６の前面１０６Ａに形成されていることによって、供給口１１２を通じてインク室１１１にインクが注入される際にインクが供給口１１２から漏れた場合であっても、漏れたインクが前壁１０２の前面１０６Ａ、特に前面１０６Ａにおける第１ライン１４６よりも下方に付着することが、リブ１４８によって阻害される。また、リブ１４８が傾斜していることによって、上方からリブ１４８に付着したインクは、リブ１４８に沿って左右方向９におけるインクタンク１００の外方へ導かれる。これらにより、前壁１０６にインクが付着する可能性を低くできるため、インクタンク１００の外部から前壁１０６を通じてインク室１１１内のインクを視認することが、付着したインクによって阻害される可能性を低くできるという効果を奏する。
【００９１】
なお、リブ１４８は、上記効果を奏するのであれば、図４に示されるような形状に限らない。例えば、リブ１４８は、図４に示されるよりも左右方向９に短くてもよい。この場合、リブ１４８は、第１ライン１４６及び第２ライン１４７よりも右方から、第１ライン１４６及び第２ライン１４７よりも左方に亘って延びていることが望ましい。また、例えば、リブ１４８は、左右方向９に沿って真っ直ぐ延びていてもよいし、左端から右端へ向かうにしたがって下方へ向かうように傾斜していてもよいし、右端から左端へ向かうにしたがって下方へ向かうように傾斜していてもよい。
【００９２】
また、リブ１４８は、上記効果を奏するのであれば、図４に示されるような位置に限らない。例えば、リブ１４８は、傾斜壁１０６ではなく、前壁１０１に形成されていてもよい。この場合、リブ１４８は、第１ライン１４６よりも上方に形成されていることが望ましい。
【００９３】
図６及び図７に示されるように、複数の隔壁１０７のうちの一部である隔壁９０（内壁の一例）は、立壁１０２の内面１０２Ｂ及び傾斜壁１０６の内面１０６Ｂから後方へ突出している。
【００９４】
ここで、図１４に示されるように、内面１０２Ｂ、１０６Ｂは、左右方向９において供給口１１２と同じ位置にある非オフセット領域１１４（図１４（Ｂ）参照）と、左右方向９において供給口１１２と異なる位置にあるオフセット領域１１５（図１４（Ａ）参照）とを備えている。上述した非オフセット部１４６Ａ、１４７Ａ（図８（Ａ）参照）は、前壁１０１の立壁１０２の前面１０２Ａのうち、非オフセット領域１１４に対応する領域（換言すると非オフセット領域１１４の裏側の領域）に形成されている。また、上述したオフセット部１４６Ｂ、１４７Ｂ（図８（Ａ）参照）は、前壁１０１の立壁１０２の前面１０２Ａのうち、オフセット領域１１５に対応する領域（換言するとオフセット領域１１５の裏側の領域）に形成されている。
【００９５】
図７に示されるように、隔壁９０は、供給口１１２の後端よりも後方まで突出している。
【００９６】
図８（Ａ）に示されるように、隔壁９０は、左右方向９において、供給口１１２よりも右方と、供給口１１２よりも左方とに形成されている。各隔壁９０は、左右方向９において供給口１１２とオフセット部１４６Ｂ、１４７Ｂとを隔てる位置にある。つまり、各隔壁９０は、左右方向９において供給口１１２とオフセット部１４６Ｂ、１４７Ｂとの間に位置する。
【００９７】
図８（Ａ）に示されるように、隔壁９０は、上下方向７において、第１ライン１４６よりも上方（換言すると非オフセット部１４６Ａ、オフセット部１４６Ｂの上端よりも上方）から、第２ライン１４７の下端よりも下方（換言すると非オフセット部１４７Ａ、オフセット部１４７Ｂの下端よりも下方）に亘って延びている。なお、本実施形態において、隔壁９０の上端は、供給口１１２よりも上方に位置している。また、隔壁９０は、上下方向７に沿って延びている。
【００９８】
［保持部材１２０］
図４及び図５に示されるように、保持部材１２０は、４つのインクタンク１００を、前方から、左右方向９に沿って一列に並んだ状態で保持するものである。保持部材１２０は、前壁７１と、右壁７２と、左壁７３と、上壁７４と、下壁７５とを備える。前壁７１は、立壁７６と傾斜壁７７とで構成されている。立壁７６は、上下方向７及び左右方向９に拡がっている。傾斜壁７７は、立壁７６の上端及び上壁７４の前端を連結する壁である。傾斜壁７７は、上下方向７及び前後方向８に対して傾斜している。
【００９９】
右壁７２は、前壁７１の右端から後方へ延びる壁である。左壁７３は、前壁７１の左端から後方へ延びる壁である。上壁７４は、前壁７１の上端（詳細には傾斜壁７７の上端）から後方へ延びる壁である。上壁７４の右端は、右壁７２の上端と接続されている。上壁７４の左端は、左壁７３の上端と接続されている。下壁７５は、前壁７１の下端から後方へ延びる壁である。下壁７５の右端は、右壁７２の下端と接続されている。下壁７５の左端は、左壁７３の下端と接続されている。
【０１００】
保持部材１２０に対して４つのインクタンク１００が左右方向９に位置決めされた状態において、隣り合うインクタンク１００の間には、隙間９８が形成されている。保持部材１２０がインクタンク１００を保持した状態において、前壁７１は、インクタンク１００の前壁１０１を覆っており、上壁７４は、インクタンク１００の上壁１０４の前部を覆っており、下壁７５は、インクタンク１００の下壁１０５の前部を覆っている。
【０１０１】
また、保持部材１２０がインクタンク１００を保持した状態において、右壁７２は、４つのインクタンク１００のうち最も右に配置されたインクタンク１００の右面の前部を覆っており、左壁７３は、４つのインクタンク１００のうち最も左に配置されたインクタンク１００の左面の前部を覆っている。以上より、保持部材１２０は、インクタンク１００を保持した状態において、インクタンク１００の前部を覆っている。
【０１０２】
保持部材１２０の前壁７１の立壁７６には、複数の開口８１が形成されている。各開口８１は、左右方向９に間隔を空けて形成されている。本実施形態において、各開口８１は、４つのインクタンク１００の各々に対応して形成されている。つまり、本実施形態において、開口８１は４つ形成されている。なお、開口８１の数は４つに限らない。また、本実施形態において、各開口８１の形状は矩形であるが、矩形以外の形状であってもよい。
【０１０３】
保持部材１２０が各インクタンク１００を保持した状態において、各インクタンク１００の前壁１０１の立壁１０２が、開口８１を介して保持部材１２０の外部に露出可能である。詳細には、立壁１０２の前面１０２Ａ及び当該前面１０２Ａに形成された第１ライン１４６及び第２ライン１４７が露出可能である。また、保持部材１２０が各インクタンク１００を保持した状態、且つカバー７０が閉塞位置の状態において、各インクタンク１００の立壁１０２が、保持部材１２０の開口８１及びカバー７０の開口９７（図１（Ａ）参照）を介してプリンタ部１１の外部に露出可能である。
【０１０４】
保持部材１２０の前壁７１の傾斜壁７７には、複数の開口８２が形成されている。各開口８２は、左右方向９に間隔を空けて形成されている。各開口８２は、４つのインクタンク１００に対応している。つまり、本実施形態において、開口８２は４つ形成されている。本実施形態において、各開口８２の形状は円形であるが、円形以外の形状であってもよい。保持部材１２０が各インクタンク１００を保持した状態において、各インクタンク１００の供給口１１２が、開口８２を介して保持部材１２０の外部に露出可能である。
【０１０５】
保持部材１２０の上壁７４の前部には、キャップ１１３が取り付けられる。各キャップ１１３は、ゴムやエラストマーのように弾性変形可能な素材によって成型されている。キャップ１１３は、上壁７４に形成されたキャップ取付部１５５とキャップ１１３に形成された取付部１１７とが嵌合することによって、保持部材１２０に取り付けられる。
【０１０６】
キャップ１１３は、保持部材１２０に取り付けられた状態において、その先端部が供給口１１２に嵌め込まれることによって、供給口１１２を液密に封止可能である（図１（Ｂ）参照）。また、キャップ１１３の先端部が供給口１１２から離間されることによって、供給口１１２が開放される。その結果、供給口１１２を通じてインク室１１１にインクを注入することが可能となる。
【０１０７】
［連結部材２００］
図４及び図５に示されるように、連結部材２００は、４つのインクタンク１００が装着されるものである。連結部材２００は、４つのインクタンク１００を、前後方向８の後方から、左右方向９に沿って一列に並んだ状態で保持する。連結部材２００は、支持本体２０１及び連結部２０２を有する。支持本体２０１の後方から連結部２０２が組み合わされることによって、連結部材２００が構成されている。なお、本実施形態では、支持本体２０１及び連結部２０２は別個の部材として構成されているが、支持本体２０１及び連結部２０２は一体に形成されてもよい。
【０１０８】
支持本体２０１の上面には、前後方向８に沿って延びる４つの溝２１０が形成されている。溝２１０の前端は、前方へ開口している。各溝２１０の左右方向９の幅は、４つのインクタンク１００の幅より大きい。各溝２１０は、保持部材１２０に一体に保持された４つのインクタンク１００が、連結部材２００に装着されるときに、左右方向９の位置決めを行いつつ、前後方向８にスライド可能とするガイドとして機能する。
【０１０９】
支持本体２０１には、溝２１０と重複しない位置に２つの凹部２１１、２１２が形成されている。凹部２１１，２１２は、左右方向９に離れた位置に配置されている。各凹部２１１，２１２には、支持本体２０１を上下方向７に貫通する貫通孔２１３，２１４がそれぞれ形成されている。貫通孔２１３，２１４に挿通されたネジが筐体１４のネジ穴に螺合され、ネジの頭が凹部２１１，２１２と当接することによって、支持本体２０１が筐体１４に固定され、支持される。
【０１１０】
支持本体２０１の溝２１０の上方には、前方へ向かって突出するロッド２１７がそれぞれ設けられている。各ロッド２１７の前端に、各インクタンク１００の後壁１１０がそれぞれ当接することによって、各インクタンク１００の後方の位置が決定される。
【０１１１】
連結部２０２は、連結板２２１、ガイド筒２２２、インクニードル２２３、インク流路２２４、及びジョイント２２５を有する。連結板２２１は、支持本体２０１に対してネジ（不図示）によって固定されている。
【０１１２】
ガイド筒２２２は、連結板２２１から前方へ突出する円筒形状である。ガイド筒２２２は、溝２１０の上方に位置する。ガイド筒２２２は、各溝２１０に対応して４つが左右方向９へ並んで配置されている。ガイド筒２２２は、その内部空間に、インクタンク１００の突出部１５７を収容可能である。ガイド筒２２２は、インクニードル２２３が突出部１５７に挿入されるときに、突出部１５７を収容することによって、インクニードル２２３と突出部１５７との位置決めを行う。
【０１１３】
ガイド筒２２２の内部空間には、ガイド筒２２２と同軸線となるインクニードル２２３が配置されている。インクニードル２２３は、連結板２２１から前方へ延びる管である。インクニードル２２３がインクタンク１００の突出部１５７に挿入されることにより、インクニードル２２３の内部空間とインクタンク１００のインク室１１１とが連通する。
【０１１４】
連結板２２１の後面には、インク流路２２４が形成されている。インク流路２２４は、各インクニードル２２３に対応して独立した流路として構成されている。連結板２２１の後面に形成された溝の開口面（後面）が不図示のフィルムによって封止されることによって、インク流路２２４が形成されている。各インク流路２２４は、各インクニードル２２３の後端部の開口と連続している。また、各インク流路２２４は、連結板２２１の上部に形成された各ジョイント２２５とそれぞれ連続している。各ジョイント２２５には、インクチューブ３２がそれぞれ連結される。連結部２０２によって、インクタンク１００のインク室１１１からインクチューブ３２へ連通するインク流路が構成される。以上より、インクニードル２２３の後端部は、インク流路２２４、ジョイント２２５、及びインクチューブ３２を介して、記録部２４と接続されている。
【０１１５】
［第１実施形態の変形例］
隔壁９０の後端位置は、図７に示される位置に限らない。例えば、隔壁９０は、ボトル２７０が供給口１１２へ挿入された状態におけるノズル部２７３の先端（注入口２７１）よりも後方まで延びていてもよい。また、例えば、隔壁９０は、インク室１１１の後端まで延びて後壁１１０と繋がっていてもよい。
【０１１６】
上記実施形態において、隔壁９０は、供給口１１２よりも右方と、供給口１１２よりも左方とに形成されていた。しかし、隔壁９０は、供給口１１２よりも右方または左方の一方のみに形成されていてもよい。
【０１１７】
隔壁９０の上下方向７の形成範囲は、供給口１１２よりも上方から第２ライン１４７の下端よりも下方までの範囲に限らない。例えば、隔壁９０の上端は、供給口１１２の上端と下端との間に位置していてもよいし（図８（Ｂ）参照）、供給口１１２の下端と第１ライン１４６の上端との間に位置していてもよい（図８（Ｃ）参照）。また、例えば、隔壁９０の下端は、供給口１１２の下端と第１ライン１４６の上端との間に位置していてもよいし（図８（Ｄ）参照）、第１ライン１４６と第２ライン１４７との間に位置していてもよい（図８（Ｃ）参照）。なお、隔壁９０の下端は、隔壁９０の上端よりも下方に位置することは言うまでもない。
【０１１８】
上記実施形態において、隔壁９０は、立壁１０２の内面１０２Ｂ及び傾斜壁１０６の内面１０６Ｂから後方へ突出していた。しかし、隔壁９０の上下方向７の形成範囲によっては、隔壁９０は、立壁１０２の内面１０２Ｂのみから後方へ突出するように構成されてもよい。また、隔壁９０は、傾斜壁１０６の内面１０６Ｂのみから後方へ突出するように構成されてもよい。つまり、隔壁９０は、立壁１０２の内面１０２Ｂまたは傾斜壁１０６の内面１０６Ｂの少なくとも一方から後方へ突出していればよい。
【０１１９】
上記実施形態において、隔壁９０は、上下方向７に延びていた。しかし、隔壁９０は、上下方向７を有する成分を有する方向へ延びていればよい。つまり、隔壁９０は、上下方向７に対して傾斜した方向に沿って延びていてもよい（例えば図９（Ｃ）参照）。
【０１２０】
上記実施形態において、隔壁９０は、左右方向９の全範囲において、供給口１１２とオフセット部１４６Ｂ、１４７Ｂとの間に位置していた。しかし、隔壁９０は、左右方向９の一部の範囲においてのみ、供給口１１２とオフセット部１４６Ｂ、１４７Ｂとの間に位置していてもよい（例えば図９（Ｃ）参照）。図９（Ｃ）では、隔壁９０の左右方向９の中央部は、左右方向９において供給口１１２とオフセット部１４６Ｂ、１４７Ｂとの間に位置している。一方、隔壁９０の左右方向９の一端部（インクタンク１００の左右方向９の外側の端部）は、供給口１１２及びオフセット部１４６Ｂ、１４７Ｂの何れとも異なる位置にある。また、隔壁９０の左右方向９の他端部（インクタンク１００の左右方向９の内側の端部）は、供給口１１２と同じ位置にある。
【０１２１】
図１０に示されるように、立壁１０２の内面１０２Ｂまたは傾斜壁１０６の内面１０６Ｂの少なくとも一方から後方へ突出した隔壁１０７として、隔壁９０の他に隔壁９１（サブ内壁の一例）が形成されていてもよい。
【０１２２】
隔壁９１は、隔壁９０と同じ位置まで後方へ突出している。なお、隔壁９１は、隔壁９０と異なる位置まで後方へ突出していてもよい。
【０１２３】
図１０（Ａ）に示されるように、隔壁９１は、上下方向７において、供給口１１２とオフセット部１４６Ｂとの間に形成されている。また、隔壁９１は、左右方向９に沿って延びている。
【０１２４】
隔壁９１は、左右方向９を有する成分を有する方向へ延びていればよい。つまり、隔壁９１は、左右方向９に対して傾斜した方向に沿って延びていてもよい（例えば１０（Ｂ）参照）。隔壁９１が左右方向９に対して傾斜した方向に延びている場合、隔壁９１は、上下方向７において、供給口１１２とオフセット部１４６Ｂとの間以外の位置にまで延びていてもよい（例えば図１０（Ｃ）参照）。図１０（Ｃ）において、隔壁９１は、供給口１１２の下端よりも上方から、オフセット部１４６Ｂよりも下方に亘って延びている。
【０１２５】
図１０（Ａ）に示されるように、隔壁９１は、左右方向９において、オフセット部１４６Ｂと同じ位置に形成されている。隔壁９１は、左右方向９において、オフセット部１４６Ｂと異なる位置にまで延びていてもよい（例えば図１０（Ｃ）参照）。
【０１２６】
隔壁９１は、図１０（Ａ）〜（Ｃ）に示されるように、隔壁９０と離間して形成されていてもよいし、図１０（Ｄ）に示されるように、隔壁９０と繋がっていてもよい。
【０１２７】
［第１実施形態の作用効果］
本実施形態によれば、隔壁９０が左右方向９における供給口１１２とオフセット部１４６Ｂ、１４７Ｂとの間に位置している（例えば図８（Ａ）参照）。そのため、供給口１１２からのインクの注入時にインクが左右方向９へ流通または飛散した場合に、当該インクが、立壁１０２の内面１０２Ｂにおけるオフセット部１４６Ｂ、１４７Ｂに対応する領域及びその周辺に付着することが、隔壁９０によって低減可能である。これにより、貯留されたインクの量を外部から正確に把握することが可能となる。
【０１２８】
また、本実施形態によれば、隔壁９０がオフセット部１４６Ｂ、１４７Ｂの上端より下方まで延びている（例えば図８（Ａ）参照）。そのため、隔壁９０がオフセット部１４６Ｂ、１４７Ｂの上端より上方にしか形成されていない構成よりも、立壁１０２の内面１０２Ｂにおけるオフセット部１４６Ｂ、１４７Ｂに対応する領域及びその周辺へのインクの付着を低減することができる。
【０１２９】
また、本実施形態によれば、隔壁９０がオフセット部１４６Ｂ、１４７Ｂの下端より下方まで延びている（例えば図８（Ａ）参照）。そのため、隔壁９０がオフセット部１４６Ｂ、１４７Ｂの下端より上方にしか形成されていない構成よりも立壁１０２の内面１０２Ｂにおけるオフセット部１４６Ｂ、１４７Ｂに対応する領域及びその周辺へのインクの付着を低減することができる。
【０１３０】
また、本実施形態によれば、隔壁９０は供給口１１２より上方まで延びている（例えば図８（Ａ）参照）。そのため、供給口１１２から注入されたインクの左右方向９への流通または飛散を隔壁９０によって抑制できる。
【０１３１】
また、本実施形態によれば、隔壁９０は上下方向７に沿って延びている（例えば図８（Ａ）参照）。そのため、隔壁９０が存在する領域を左右方向９に短くできる。その結果、インクタンク１００を左右方向９に短くすることができる。
【０１３２】
また、インクは、供給口１１２から注入される際に、隔壁９０よりも上方を流通または飛散して、左右方向９における隔壁９０に対する供給口１１２の反対に位置する可能性がある。この場合、インクは、立壁１０２の内面１０２Ｂにおけるオフセット部１４６Ｂ、１４７Ｂに対応する領域及びその周辺に上方から付着するおそれがある。本実施形態によれば、前記のようなインクの付着を隔壁９１（図１０参照）によって低減することができる。
【０１３３】
また、本実施形態によれば、隔壁９１は、左右方向９におけるオフセット部１４６Ｂ、１４７Ｂと異なる位置まで延びている（例えば図１０（Ｃ）参照）。そのため、隔壁９１がオフセット部１４６Ｂ、１４７Ｂの真上にのみ形成された構成よりも、立壁１０２の内面１０２Ｂにおけるオフセット部１４６Ｂ、１４７Ｂに対応する領域及びその周辺へのインクの付着を低減することができる。
【０１３４】
また、本実施形態によれば、隔壁９１は、隔壁９０と繋がっている（例えば図１０（Ｄ）参照）。そのため、隔壁９０と隔壁９１との隙間をインクが通過することを防止できる。これにより、立壁１０２の内面１０２Ｂにおけるオフセット部１４６Ｂ、１４７Ｂに対応する領域及びその周辺へのインクの付着を低減できる。
【０１３５】
［第２実施形態］
以下、本発明の第２実施形態について説明する。上述した第１実施形態では、複数の隔壁１０７のうちの一部である隔壁９０、９１が、立壁１０２の内面１０２Ｂまたは傾斜壁１０６の内面１０６Ｂの少なくとも一方から後方へ突出していた。しかし、以下で説明する第２実施形態では、複数の隔壁１０７のうちの一部である隔壁９３、９４が、立壁１０２の内面１０２Ｂまたは傾斜壁１０６の内面１０６Ｂの少なくとも一方から後方へ突出している。なお、第２実施形態は、内面１０２Ｂ、１０６Ｂから後方へ突出した隔壁以外の構成について、第１実施形態と同構成である。以下の説明では、第１実施形態と異なる構成である隔壁９３、９４を中心に説明し、第１実施形態と同じ構成についての説明は省略される。
【０１３６】
第２実施形態の場合、図１１（Ａ）に示されるように、第１ライン１４６は、非オフセット部１４６Ａのみで構成されていてもよい。また、第２ライン１４７は、非オフセット部１４７Ａのみで構成されていてもよい。なお、以下では、第１ライン１４６が非オフセット部１４６Ａのみで構成され、第２ライン１４７が非オフセット部１４７Ａのみで構成された場合の、隔壁９３（内壁の一例）の配置が説明される。また、当該場合の、隔壁９４（サブ内壁の一例）の配置が、変形例において説明される。もちろん、隔壁９３、９４は、第１ライン１４６が非オフセット部１４６Ａ及びオフセット部１４６Ｂで構成されたり、第２ライン１４７が非オフセット部１４７Ａ及びオフセット部１４７Ｂで構成されたりした場合でも、配置可能であることは言うまでもない。
【０１３７】
図１１及び図１２に示されるように、隔壁９３、９４は、隔壁９０、９１と同様に、立壁１０２の内面１０２Ｂまたは傾斜壁１０６の内面１０６Ｂの少なくとも一方から後方へ突出している。
【０１３８】
図１１（Ａ）に示されるように、隔壁９３は、上下方向７において供給口１１２と非オフセット部１４６Ａ、１４７Ａとを隔てる位置にある。つまり、隔壁９３は、上下方向７において供給口１１２と非オフセット部１４６Ａ、１４７Ａとの間に位置する。なお、図１１（Ａ）では、隔壁９３は、立壁１０２の内面１０２Ｂから突出しているが、傾斜壁１０６の内面１０６Ｂから突出していてもよい。
【０１３９】
隔壁９３は、左右方向９を有する成分を有する方向へ延びている。つまり、隔壁９３は、左右方向９に対して傾斜した方向に沿って延びている。図１１（Ａ）において、隔壁９３は、左右方向９において、非オフセット部１４６Ａ、１４７Ａの左端（一端の一例）から、非オフセット部１４６Ａ、１４７Ａの右端（他端の一例）まで延びている。
【０１４０】
［第２実施形態の変形例］
上記実施形態において、隔壁９３は、左右方向９において、非オフセット部１４６Ａ、１４７Ａの左端から、非オフセット部１４６Ａ、１４７Ａの右端まで延びていた。しかし、隔壁９３は、その少なくとも一部が非オフセット部１４６Ａ、１４７Ａの左端から、非オフセット部１４６Ａ、１４７Ａの右端に亘って延びていればよい。
【０１４１】
例えば、隔壁９３は、図１１（Ｂ）に示されるように、非オフセット部１４６Ａ、１４７Ａの左端よりも左方から、非オフセット部１４６Ａ、１４７Ａの右端よりも右方に亘って延びていてもよい。つまり、隔壁９３は、左右方向９における非オフセット部１４６Ａ、１４７Ａの外方にまで延びていてもよい。
【０１４２】
なお、図１１（Ｂ）では、隔壁９３は、左右方向９における供給口１１２の外方にまで延びているが、隔壁９３の延出範囲はこれに限らない。例えば、隔壁９３の左端は、左右方向９における供給口１１２の左端と非オフセット部１４６Ａ、１４７Ａの左端との間であってもよいし、隔壁９３の右端は、左右方向９における供給口１１２の右端と非オフセット部１４６Ａ、１４７Ａの右端との間であってもよい。
【０１４３】
上記実施形態において、隔壁９３は、右方へ向かうにしたがって下方へ向かうように傾斜していた。しかし、隔壁９３は、図１１（Ｃ）に示されるように、左方へ向かうにしたがって下方へ向かうように傾斜していてもよい。
【０１４４】
上記実施形態において、隔壁９３は、上下方向７において供給口１１２と非オフセット部１４６Ａ、１４７Ａとの間に位置していた。しかし、隔壁９３は、その少なくとも一部が上下方向７において供給口１１２と非オフセット部１４６Ａ、１４７Ａとの間に位置していればよい。例えば、隔壁９３は、図１１（Ｄ）に示されるように、供給口１１２の下端よりも上方から非オフセット部１４６Ａよりも下方に亘って延びていてもよい。また、例えば、隔壁９４は、供給口１１２より上方まで延びていてもよい。
【０１４５】
図１２（Ａ）に示されるように、立壁１０２の内面１０２Ｂまたは傾斜壁１０６の内面１０６Ｂの少なくとも一方から後方へ突出した隔壁１０７として、隔壁９３の他に隔壁９４が形成されていてもよい。
【０１４６】
隔壁９４は、隔壁９３と同じ位置まで後方へ突出している。なお、隔壁９４は、隔壁９３と異なる位置まで後方へ突出していてもよい。
【０１４７】
図１２（Ａ）に示されるように、隔壁９４は、左右方向９において、非オフセット部１４６Ａ、１４７Ａと異なる位置に形成されている。また、隔壁９４は、上下方向７に沿って延びている。
【０１４８】
隔壁９４は、上下方向７を有する成分を有する方向へ延びていればよい。つまり、隔壁９４は、上下方向７に対して傾斜した方向に沿って延びていてもよい（例えば１３（Ｂ）参照）。隔壁９４が上下方向７に対して傾斜した方向に延びている場合、隔壁９４は、左右方向９において、非オフセット部１４６Ａ、１４７Ａと同じ位置にまで延びていてもよい（例えば図１２（Ｃ）参照）。
【０１４９】
図１２（Ａ）において、隔壁９４は、非オフセット部１４６Ａよりも上方から非オフセット部１４７Ａよりも下方まで延びている。しかし、隔壁９４の上下方向７における延出範囲は、これに限らない。例えば、隔壁９４は、非オフセット部１４６Ａよりも上方から、非オフセット部１４６Ａ及び非オフセット部１４７Ａの間の位置まで延びていてもよい（例えば図１２（Ｃ）参照）。また、例えば、隔壁９４は、非オフセット部１４６Ａ、１４７Ａよりも上方の位置にのみ形成されていてもよい。
【０１５０】
隔壁９４は、図１２（Ａ）〜（Ｃ）に示されるように、隔壁９３と離間して形成されていてもよいし、図１２（Ｄ）に示されるように、隔壁９３と繋がっていてもよい。
【０１５１】
［第２実施形態の作用効果］
本実施形態によれば、隔壁９３が上下方向７における供給口１１２と非オフセット部１４６Ａ、１４７Ａとの間に位置している（例えば図１１（Ａ）参照）。そのため、供給口１１２からの注入時にインクが下方へ流通または飛散した場合に、当該インクが、立壁１０２の内面１０２Ｂにおける非オフセット部１４６Ａ、１４７Ａに対応する領域及びその周辺に付着することが、内壁によって低減可能である。これにより、貯留されたインクの量を外部から正確に把握することが可能となる。
【０１５２】
また、本実施形態によれば、隔壁９３は、左右方向９における非オフセット部１４６Ａ、１４７Ａの外方にまで延びている（例えば図１１（Ｂ）参照）。そのため、隔壁９３が非オフセット部１４６Ａ、１４７Ａの真上にしか形成されていない構成よりも、立壁１０２の内面１０２Ｂにおける非オフセット部１４６Ａ、１４７Ａに対応する領域及びその周辺へのインクの付着を低減することができる。
【０１５３】
また、本実施形態によれば、隔壁９３は、左右方向９における供給口１１２の外方にまで延びている（例えば図１１（Ｂ）参照）。そのため、隔壁９３が左右方向９における供給口１１２と同位置にしか形成されていない構成よりも、立壁１０２の内面１０２Ｂにおける非オフセット部１４６Ａ、１４７Ａに対応する領域及びその周辺へのインクの付着を低減することができる。
【０１５４】
また、本実施形態によれば、隔壁９３は、供給口１１２より上方まで延びていてもよい。そのため、供給口１１２から注入されたインクの左右方向９への流通または飛散を隔壁９３によって抑制できる。
【０１５５】
また、インクは、供給口１１２から注入される際に、隔壁９３よりも左右方向９の外方へ流通または飛散する可能性がある。この場合、インクは、立壁１０２の内面１０２Ｂにおける非オフセット部１４６Ａ、１４７Ａに対応する領域及びその周辺に側方（左右方向９）から付着するおそれがある。本実施形態によれば、前記のようなインクの付着を隔壁９４（図１２参照）によって低減することができる。
【０１５６】
また、本実施形態によれば、隔壁９４は、非オフセット部１４６Ａ、１４７Ａの上端より上方から非オフセット部１４６Ａ、１４７Ａの上端より下方に亘って延びている（例えば図１２（Ａ）参照）。そのため、隔壁９４が非オフセット部１４６Ａ、１４７Ａの上端より上方にしか形成されていない構成よりも、立壁１０２の内面１０２Ｂにおける非オフセット部１４６Ａ、１４７Ａに対応する領域及びその周辺へのインクの付着を低減することができる。
【０１５７】
また、本実施形態によれば、隔壁９４は、非オフセット部１４６Ａ、１４７Ａの下端より下方まで延びている（例えば図１２（Ａ）参照）。そのため、隔壁９４が非オフセット部１４６Ａ、１４７Ａの下端より上方にしか形成されていない構成よりも、立壁１０２の内面１０２Ｂにおける非オフセット部１４６Ａ、１４７Ａに対応する領域及びその周辺へのインクの付着を低減することができる。
【０１５８】
また、本実施形態によれば、隔壁９４は、隔壁９３と繋がっている（例えば図１２（Ｄ）参照）。そのため、隔壁９３と隔壁９４との隙間をインクが通過することを防止できる。これにより、立壁１０２の内面１０２Ｂにおける非オフセット部１４６Ａ、１４７Ａに対応する領域及びその周辺へのインクの付着を低減できる。
【０１５９】
［第１実施形態及び第２実施形態の変形例］
上記実施形態では、保持部材１２０の開口８１は、立壁１０２の略全面を外部に露出させていた。しかし、開口８１は、立壁１０２の外面のうち、隔壁９０、９１によって供給口１１２と隔てられている領域のみを外部に露出させていてもよい。例えば、第１実施形態の場合、図１３に示されるように、開口８１は、立壁１０２の前面１０２Ａのうち、左右方向９において隔壁９０に対して供給口１１２とは反対の領域を外部に露出させてもよい。なお、図１３には、４つのインクタンク１００のうちの１つのインクタンク１００、及び当該インクタンク１００に対応する開口８１のみが描かれている。また、例えば、第２実施形態の場合、図示されていないが、開口８１は、立壁１０２の前面１０２Ａのうち、隔壁９３の真下に位置する領域を露出させてもよい。
【０１６０】
この変形例によれば、立壁１０２のうち、注入されたインクの付着が隔壁９０などによって低減される領域が、開口８１によって外部に露出されている。これにより、インク室１１１に貯留されたインクの量を容易に把握可能である。一方、立壁１０２のうち、注入されたインクが付着し易い領域は、保持部材１２０によって覆われている。これにより、注入時の飛散などによって付着したインクを外部から隠すことができる。
【０１６１】
上記実施形態では、前壁１０１の立壁１０２の前面１０２Ａに、第１ライン１４６と第２ライン１４７とが形成されていた。しかし、図１４に示されるように、前面１０２Ａに、第１ライン１４６と第２ライン１４７とが形成されていなくてもよい。この場合、隔壁９０の少なくとも一部は、供給口１１２より下方であって左右方向９における供給口１１２とオフセット領域１１５との間に位置する（例えば、図１４（Ａ）参照）。また、この場合、隔壁９３の少なくとも一部は、供給口１１２より下方であって非オフセット領域１１４の左端から右端に亘って延びていてもよい（例えば、図１４（Ｂ）参照）。
【０１６２】
なお、隔壁９０、９３の構成は、図１４に示される構成に限らず、例えば上記実施形態において図８〜図１２に示された構成であってもよい。換言すると、図８〜図１２において、前面１０２Ａに、第１ライン１４６と第２ライン１４７とが形成されていなくてもよい。
【０１６３】
上記実施形態では、インクタンク１００全体が、インク室１１１内のインクがインクタンク１００の外部から視認可能な程度の透光性を有する樹脂で形成されていた。しかし、インクタンク１００を構成する壁のうち、前壁１０１の立壁１０２以外の壁は、上述した透光性を有する樹脂以外の材料で構成されていてもよい。
【０１６４】
上記実施形態では、タンクセット９９は、保持部材１２０を備えているが、保持部材１２０を備えていなくてもよい。この場合、４つのインクタンク１００は、保持部材１２０によって一体にされることなく、個別に連結部材２００に装着される。
【０１６５】
上記実施形態では、インクを液体の一例として説明したが、本発明はこれに限定されない。すなわち、インクに代えて、印刷時にインクに先立って記録用紙に吐出される前処理液、或いは記録ヘッド３９のノズル４０の乾燥を防止するために記録ヘッド３９のノズル４０近傍に噴霧される水等が、液体の一例であってもよい。
【符号の説明】
【０１６６】
１０・・・複合機（液体消費装置）
９０・・・隔壁（内壁）
１０２・・・立壁（第１壁）
１０６・・・傾斜壁（第３壁）
１１０・・・後壁（第２壁）
１１１・・・インク室（貯留室）
１１２・・・供給口（注入口）
１４６・・・第１ライン（目盛）
１４６Ｂ・・・オフセット部
１４７・・・第２ライン（目盛）
１４７Ｂ・・・オフセット部
【図１】
2018171766.tif 000003
【図２】
2018171766.tif 000004
【図３】
2018171766.tif 000005
【図４】
2018171766.tif 000006
【図５】
2018171766.tif 000007
【図６】
2018171766.tif 000008
【図７】
2018171766.tif 000009
【図８】
2018171766.tif 000010
【図９】
2018171766.tif 000011
【図１０】
2018171766.tif 000012
【図１１】
2018171766.tif 000013
【図１２】
2018171766.tif 000014
【図１３】
2018171766.tif 000015
【図１４】
2018171766.tif 000016